【手続補正書】
【提出日】平成17年8月30日(2005.8.30)
【手続補正１】
【補正対象書類名】明細書
【補正対象項目名】０００３
【補正方法】変更
【補正の内容】
【０００３】
一方、皮膚外用剤に於いて、エラスターゼ活性阻害剤とメラニン産生抑制剤とを含有させることは全く知られておらず、更に、この様な成分を含む皮膚外用剤が優れたくすみ改善作用を有し、加齢変化に対して有効であることも全く知られていなかった。
【手続補正２】
【補正対象書類名】明細書
【補正対象項目名】０００５
【補正方法】変更
【補正の内容】
【０００５】
【課題を解決するための手段】
本発明者らは、この様な状況に鑑みて、優れたくすみ改善作用を有し、加齢変化に対して有効である、化粧料などの皮膚外用剤を求めて鋭意研究努力を重ねた結果、エラスターゼ活性阻害剤とメラニン産生抑制剤とを含有する皮膚外用剤にこの様な作用を見出し、発明を完成させるに至った。以下、本発明について、実施の形態を中心に詳細に説明を加える。
【手続補正３】
【補正対象書類名】明細書
【補正対象項目名】０００８
【補正方法】変更
【補正の内容】
【０００８】
（３）本発明の皮膚外用組成物
本発明の皮膚外用組成物は、上記エラスターゼ活性阻害剤とメラニン産生抑制剤とを含有することを特徴とする。本発明の皮膚外用組成物としては、化粧料や抗真菌剤、抗炎症剤、ステロイド剤等の皮膚外用医薬等が例示でき、この中では化粧料に適用するのが特に好ましく、中でも柔軟性の低下のような加齢変化による皮膚の変化を抑制し、老化によるくすみを改善し、肌をくすみなく美しく保つことが出来ることから、くすみの改善と悪化の抑制を目指した、くすみ用の化粧料として用いるのが特に好ましい。本発明の皮膚外用組成物では、上記必須成分以外に通常皮膚外用組成物で使用される任意成分を含有することが出来る。かかる任意成分としては、例えば、ワセリンやマイクロクリスタリンワックス等のような炭化水素類、ホホバ油やゲイロウ等のエステル類、牛脂、オリーブ油等のトリグリセライド類、セタノール、オレイルアルコール等の高級アルコール類、ステアリン酸
、オレイン酸等の脂肪酸、グリセリンや１，３−ブタンジオール等の多価アルコール類、非イオン界面活性剤、アニオン界面活性剤、カチオン界面活性剤、両性界面活性剤、エタノール、カーボポール等の増粘剤、防腐剤、紫外線吸収剤、抗酸化剤、色素、粉体類等が好ましく例示できる。これら任意成分の中で特に好ましいものは、プラセンターエキス、ロイヤルゼリー、グリコーゲン等の細胞を賦活する作用を有する物質や硫酸化アルギン酸とその生理的に許容される塩やバクガの根部のエッセンス等のコラーゲン合成を促進する成分、或いは、ミントのエッセンス、セージのエッセンス、ローズマリーのエッセンス、ジンセンのエッセンス、オウゴンのエッセンス等の過酸化物生成抑制剤である。これら細胞賦活成分やコラーゲン合成促進剤、過酸化物生成抑制剤はそれぞれ総量で０．０１〜１重量％程度含有することが好ましい。これらの成分を常法に従って処理することにより、本発明の皮膚外用組成物を製造することが出来る。
【手続補正４】
【補正対象書類名】明細書
【補正対象項目名】００１０
【補正方法】変更
【補正の内容】
【００１０】
＜実施例１〜６＞下記に示す処方に従って、化粧水を作成した。即ち、処方成分を室温で攪拌し、可溶化して化粧水を得た。
１，３−ブタンジオール                                ５    重量部
グリセリン                                            ３    重量部
エタノール                                          １０    重量部
メラニン産生抑制剤＊                                  １    重量部
エラスターゼ活性阻害剤＊                              １    重量部
メチルパラベン                                        ０．２重量部
ＰＯＥ（６０）硬化ひまし油                            ０．１重量部
水                                                  ７９．７重量部
＊詳細は表１に記載
【手続補正５】
【補正対象書類名】明細書
【補正対象項目名】００１１
【補正方法】変更
【補正の内容】
【００１１】
【表１】
2000109417.tif 000001
【手続補正６】
【補正対象書類名】明細書
【補正対象項目名】００１４
【補正方法】変更
【補正の内容】
【００１４】
＜実施例８＞下記に示す処方に従って、化粧水を作成した。即ち、処方成分を室温で攪拌し、可溶化して化粧水を得た。
１，３−ブタンジオール                                ５    重量部
グリセリン                                            ３    重量部
エタノール                                          １０    重量部
硫酸化アルギン酸ナトリウム                            ０．１重量部
バクガコンのエッセンス                                ０．１重量部
エルヒビン                                            ０．５重量部
コウキ抽出液ＢＧ                                      ０．５重量部
プラセンターエキス                                    ０．１重量部
ソウハクヒのエッセンス                                ０．５重量部
グリコーゲン                                          ０．１重量部
ロイヤルゼリー                                        ０．５重量部
メチルパラベン                                        ０．２重量部
ＰＯＥ（６０）硬化ひまし油                            ０．１重量部
オウゴンのエッセンス                                  ０．１重量部
ジンセンのエッセンス                                  ０．１重量部
シラカバのエッセンス                                  ０．１重量部
水                                                  ７９    重量部
【手続補正７】
【補正対象書類名】明細書
【補正対象項目名】００１５
【補正方法】変更
【補正の内容】
【００１５】
＜実施例９＞５０歳以上の女性であって、肌のくすみに悩むパネラー１群１０名、計３０名を集め、上記実施例６の化粧水、実施例８の化粧水のソウハクヒのエッセンスとロイヤルゼリーを水に置換した比較例６の化粧水、実施例８の化粧水のエルヒビンとコウキ抽出液ＢＧを水に置換した比較例７について、そのくすみ改善作用を評価してもらった。これらの化粧水は１日朝・晩２回、８週間使用してもらい、肌のくすみの改善を、＋＋：著しい改善、＋：明らかな改善、±：僅かな改善、−：改善せずの基準で評価してもらった。結果を出現例数として表３に示す。これより、本発明の化粧料は、加齢変化によってくすみが蓄積した肌に、そのくすみ改善作用によって、くすみを改善し、健康な肌とする作用に優れることがわかる。
【手続補正８】
【補正対象書類名】明細書
【補正対象項目名】００１７
【補正方法】変更
【補正の内容】
【００１７】
＜実施例１０＞下記に示す処方に従って、クリームを作成した。即ち、イ、ロ、ハ、ニのそれぞれの成分を７０℃に加熱し、イとロを混合し、良く混練りし、これにハを加えて希釈し、これにニを徐々に加え乳化し、攪拌冷却し、クリームを得た。
イ
７０％マルチトース水溶液                                ５    重量部
グリセリン                                              ３    重量部
１，３−ブタンジオール                                  ５    重量部
メチルパラベン                                          ０．２重量部
ロ
トリグリセリンジイソステアレート                        ４    重量部
ソルビタンセスキオレート                                ０．５重量部
ハ
軽質イソパラフィン                                    １０    重量部
流動パラフィン                                        １０    重量部
グリセリルトリイソオクタネート                          ５    重量部
ニ
水                                                    ５５．３重量部
硫酸化アルギン酸ナトリウム                              ０．１重量部
バクガコンのエッセンス                                  ０．１重量部
エルヒビン                                              ０．５重量部
コウキ抽出液ＢＧ                                        ０．１重量部
プラセンターエキス                                      ０．１重量部
グリコーゲン                                            ０．１重量部
ロイヤルゼリー                                          ０．５重量部
ジンセンのエッセンス                                    ０．１重量部
オウゴンのエッセンス                                    ０．１重量部
シラカバのエッセンス                                    ０．１重量部
ソウハクヒのエッセンス                                  ０．１重量部
アルブチン                                              ０．１重量部
【手続補正９】
【補正対象書類名】明細書
【補正対象項目名】００１８
【補正方法】変更
【補正の内容】
【００１８】
＜実施例１１＞下記に示す処方に従って、クリームを作成した。即ち、イ、ロ、ハ、ニのそれぞれの成分を７０℃に加熱し、イとロを混合し、良く混練りし、これにハを加えて希釈し、これにニを徐々に加え乳化し、攪拌冷却し、クリームを得た。
イ
７０％マルチトース水溶液                                ５    重量部
グリセリン                                              ３    重量部
１，３−ブタンジオール                                  ５    重量部
メチルパラベン                                          ０．２重量部
ロ
トリグリセリンジイソステアレート                        ４    重量部
ソルビタンセスキオレート                                ０．５重量部
ハ
軽質イソパラフィン                                    １０    重量部
流動パラフィン                                        １０    重量部
グリセリルトリイソオクタネート                          ５    重量部
ニ
水                                                    ５６．１重量部
硫酸化アルギン酸ナトリウム                              ０．１重量部
バクガコンのエッセンス                                  ０．１重量部
エルヒビン                                              ０．１重量部
コウキ抽出液ＢＧ                                        ０．１重量部
プラセンターエキス                                      ０．１重量部
グリコーゲン                                            ０．１重量部
ロイヤルゼリー                                          ０．１重量部
ジンセンのエッセンス                                    ０．１重量部
オウゴンのエッセンス                                    ０．１重量部
シラカバのエッセンス                                    ０．１重量部
アスコルビン酸燐酸マグネシウム                          ０．１重量部
アルブチン                                              ０．１重量部
【手続補正１０】
【補正対象書類名】明細書
【補正対象項目名】００１９
【補正方法】変更
【補正の内容】
【００１９】
＜実施例１２＞下記に示す処方に従って、皮膚外用医薬である抗炎症用クリームを作成した。即ち、イ、ロ、ハ、ニのそれぞれの成分を７０℃に加熱し、イとロを混合し、良く混練りし、これにハを加えて希釈し、これにニを徐々に加え乳化し、攪拌冷却し、クリームを得た。
イ
７０％マルチトース水溶液                                ５    重量部
グリセリン                                              ３    重量部
１，３−ブタンジオール                                  ５    重量部
メチルパラベン                                          ０．２重量部
インドメタシン                                          １    重量部
ロ
トリグリセリンジイソステアレート                        ４    重量部
ソルビタンセスキオレート                                ０．５重量部
ハ
軽質イソパラフィン                                    １０    重量部
流動パラフィン                                        １０    重量部
グリセリルトリイソオクタネート                          ５    重量部
ニ
水                                                    ５７．１重量部
硫酸化アルギン酸ナトリウム                              ０．１重量部
バクガコンのエッセンス                                  ０．１重量部
エルヒビン                                              ０．１重量部
コウキ抽出液ＢＧ                                        ０．１重量部
プラセンターエキス                                      ０．１重量部
グリコーゲン                                            ０．１重量部
ロイヤルゼリー                                          ０．１重量部
ジンセンのエッセンス                                    ０．１重量部
オウゴンのエッセンス                                    ０．１重量部
シラカバのエッセンス                                    ０．１重量部
アスコルビン酸燐酸マグネシウム                          ０．１重量部
アルブチン                                              ０．１重量部
【手続補正１１】
【補正対象書類名】明細書
【補正対象項目名】００２０
【補正方法】変更
【補正の内容】
【００２０】
＜実施例１３＞下記に示す処方に従って、皮膚外用医薬であるステロイドクリームを作成した。即ち、イ、ロ、ハ、ニのそれぞれの成分を７０℃に加熱し、イとロを混合し、良く
混練りし、これにハを加えて希釈し、これにニを徐々に加え乳化し、攪拌冷却し、クリームを得た。
イ
７０％マルチトース水溶液                                ５    重量部
グリセリン                                              ３    重量部
１，３−ブタンジオール                                  ５    重量部
メチルパラベン                                          ０．２重量部
エストラジオール                                        １    重量部
ロ
トリグリセリンジイソステアレート                        ４    重量部
ソルビタンセスキオレート                                ０．５重量部
ハ
軽質イソパラフィン                                    １０    重量部
流動パラフィン                                        １０    重量部
グリセリルトリイソオクタネート                          ５    重量部
ニ
水                                                    ５７．１重量部
硫酸化アルギン酸ナトリウム                              ０．１重量部
バクガコンのエッセンス                                  ０．１重量部
エルヒビン                                              ０．１重量部
コウキ抽出液ＢＧ                                        ０．１重量部
プラセンターエキス                                      ０．１重量部
グリコーゲン                                            ０．１重量部
ロイヤルゼリー                                          ０．１重量部
ジンセンのエッセンス                                    ０．１重量部
オウゴンのエッセンス                                    ０．１重量部
シラカバのエッセンス                                    ０．１重量部
アスコルビン酸燐酸マグネシウム                          ０．１重量部
アルブチン                                              ０．１重量部
【手続補正１２】
【補正対象書類名】明細書
【補正対象項目名】００２１
【補正方法】変更
【補正の内容】
【００２１】
＜実施例１４＞下記に示す処方に従って、皮膚外用医薬である抗真菌クリームを作成した。即ち、イ、ロ、ハ、ニのそれぞれの成分を７０℃に加熱し、イとロを混合し、良く混練りし、これにハを加えて希釈し、これにニを徐々に加え乳化し、攪拌冷却し、クリームを得た。
イ
７０％マルチトース水溶液                                ５    重量部
グリセリン                                              ３    重量部
１，３−ブタンジオール                                  ５    重量部
メチルパラベン                                          ０．２重量部
ビフォナゾール                                          １    重量部
ロ
トリグリセリンジイソステアレート                        ４    重量部
ソルビタンセスキオレート                                ０．５重量部
ハ
軽質イソパラフィン                                    １０    重量部
流動パラフィン                                        １０    重量部
グリセリルトリイソオクタネート                          ５    重量部
ニ
水                                                    ５７．１重量部
硫酸化アルギン酸ナトリウム                              ０．１重量部
バクガコンのエッセンス                                  ０．１重量部
エルヒビン                                              ０．１重量部
コウキ抽出液ＢＧ                                        ０．１重量部
プラセンターエキス                                      ０．１重量部
グリコーゲン                                            ０．１重量部
ロイヤルゼリー                                          ０．１重量部
ジンセンのエッセンス                                    ０．１重量部
オウゴンのエッセンス                                    ０．１重量部
シラカバのエッセンス                                    ０．１重量部
アスコルビン酸燐酸マグネシウム                          ０．１重量部
アルブチン                                              ０．１重量部